(57)【要約】【課題】スリット状の挿脱口を介して適正に装填されるべき記憶媒体が誤って挿脱口よりも記憶媒体装填部の内側へ誤挿入された際の不適合記憶媒体を容易に取り出すための記憶媒体取り出し具及びそれを具備した情報処理装置を提供する。【解決手段】記憶媒体取り出し具２１は、マイラーシートのような所定の弾性を有するプラスティック材料からなり、長手方向端部の一方を先細凸形状部２１ａにカットし、その先細凸形状部２１ａを除いた先端近傍に粘着剤層２２を形成した短冊状薄板からなる。記憶媒体取り出し具２１の剥離紙２３を剥がした後、粘着剤層２２の面を下又は上に向けて誤挿入された記憶媒体Ｍが存在する記憶媒体装填部３ａの隙間に滑り込ませるよう差し込む。次に、記憶媒体取り出し具２１を上下方向に動かして粘着剤層２２を記憶媒体Ｍに貼り付けて一体化させた後引き出すことにより、記憶媒体Ｍ等を傷つけることなく容易に取り出すことができる。【選択図】図４
2005071010.tif 000002
【特許請求の範囲】
【請求項１】
スリット状の挿脱口を有し該挿脱口を介して挿入される記憶媒体を受け入れる記憶媒体装填部と、該記憶媒体装填部へ適正に装填された記憶媒体に対して情報の処理を行う処理手段とを備える情報処理装置において、
少なくとも一方の長手方向端部を先細凸形状とした短冊状薄板からなり、前記先細凸形状部分を除いた先端近傍に粘着剤層を形成した記憶媒体取り出し具を具備し、
前記適正に装填されるべき記憶媒体のサイズよりも小さいサイズの不適合記憶媒体が誤って前記挿脱口よりも前記記憶媒体装填部の内側へ誤挿入された際に、前記記憶媒体取り出し具を前記記憶媒体装填部に挿入することで前記粘着剤層を介して前記不適合記憶媒体と一体化させ、該一体化状態で引き出すことにより前記不適合記憶媒体を取り出し可能に構成したことを特徴とする情報処理装置。
【請求項２】
前記短冊状薄板は、板バネ状の所定の弾性を有するプラスティック材料からなることを特徴とする請求項２に記載の情報処理装置。
【請求項３】
前記情報が画像情報であり、前記処理手段は前記画像情報に基き印刷処理を行う印刷手段を含むことを特徴とする請求項１又は２に記載の情報処理装置。
【請求項４】
前記情報処理装置は、自動販売機型のプリンタであることを特徴とする請求項３に記載の情報処理装置。
【請求項５】
スリット状の挿脱口を有し該挿脱口を介して挿入される記憶媒体を受け入れる記憶媒体装填部と、該記憶媒体装填部へ適正に装填された記憶媒体に対して情報の処理を行う処理手段とを備える情報処理装置に付属されるべく設けられ、前記適正に装填されるべき記憶媒体のサイズよりも小さいサイズの不適合記憶媒体が誤って前記挿脱口よりも前記記憶媒体装填部の内側へ誤挿入された際に前記不適合記憶媒体を取り出すための記憶媒体取り出し具であって、
少なくとも一方の長手方向端部を先細凸形状とした短冊状薄板からなり、前記先細凸形状部分を除いた先端近傍に粘着剤層を形成したことを特徴とする記憶媒体取り出し具。
【請求項６】
前記短冊状薄板は、板バネ状の所定の弾性を有するプラスティック材料からなることを特徴とする請求項５に記載の記憶媒体取り出し具。
【発明の詳細な説明】
【技術分野】
【０００１】
本発明は、記憶媒体を挿脱可能な情報処理装置に係り、例えば複数種の記憶媒体を挿脱可能な自動販売機型のプリンタに備えて好適な記憶媒体取り出し具に関する。
【背景技術】
【０００２】
近年のコンピュータシステムの目覚しい発展、具体的にはパーソナルコンピュータやその周辺機器等の所謂情報処理装置の技術開発に伴い、例えば情報量の大きなカラー画像の処理操作も個人的なレベルで容易に行えるようになった。そして、最近ではデジタルカメラが急速に普及し、このデジタルカメラ（なお、デジタルカメラ付きの携帯電話も普及しつつある）で撮影した画像を挿脱自在で携帯可能な記憶媒体に一旦保存し、その記憶媒体に保存された画像をパーソナルコンピュータに設けられた記憶媒体スロットを介して、或いは直接ビデオプリンタ等の印刷装置に設けられた記憶媒体スロットを介してコンピュータシステムに取り込み印刷出力して楽しむことが可能となった。
【０００３】
また、情報の書き込みと読み出し用の記憶媒体も、従来からパーソナルコンピュータに標準で備えられたフロッピー（登録商標）ディスクの他、上記デジタルカメラや携帯電話等に対応すべくより小型化された所謂メモリーカードと呼ばれる多種多様な形態の記憶媒体が提供されている。
【０００４】
図６には、現在汎用されている種々の形態の記憶媒体製品の一例が示されている。
すなわち、図６（ａ）は、コンパクトフラッシュ（登録商標）カード（縦３５〜３６ｍｍ、横４２〜４３ｍｍ、厚さ約３ｍｍ）、図６（ｂ）は、スマートメディア（商標：縦３７ｍｍ、横４５ｍｍ、厚さ１ｍｍ）、図６（ｃ）は、ＳＤカード（縦２４ｍｍ、横３２ｍｍ、厚さ２.１ｍｍ）、図６（ｄ）は、メモリースティック（商標：縦５０ｍｍ、横２１.５ｍｍ、厚さ２.８ｍｍ）、図６（ｅ）は、上記フロッピー（登録商標）ディスク（縦９４ｍｍ、横９０ｍｍ、厚さ約３ｍｍ）、図６（ｆ）は、ＰＣカード（縦１４３ｍｍ、横５４ｍｍ、厚さ１１.８ｍｍ）、図６（ｇ）は、ＣＤ−ＲＯＭ／ＣＤ−Ｒ（半径１１９ｍｍ、厚さ１〜１.５ｍｍ）をそれぞれ示す。なお、上記サイズの記載において、記憶媒体の挿入方向の長さを縦、挿入方向に直交する幅を横として記載してある。
【０００５】
また、上記記憶媒体のなかには、同一製品名であっても更にサイズの異なる別形態の製品も存在する（ＳＤカードやメモリースティック）。
【０００６】
例えば、図７は上記メモリースティックについて、異なる形態の例を示すものであり、ｍ１は上記図６（ｄ）を再掲したものであり、ｍ２は概ね縦のサイズが異なる（長さｌ分だけ短い）例を示している（縦３１ｍｍ、横２０ｍｍ、厚さ約１.６ｍｍ）。
【０００７】
このように、記憶媒体には複数の形態のものが存在しており、デジタルカメラのみならず各種情報処理装置毎に使用する記憶媒体に違いがあるのが実情である。従って、例えばデジタルカメラユーザは、そのカメラの機種に対応した記憶媒体を購入し使用している。また、そのようなユーザがデジタルカメラで撮影した画像を印刷画像にしたい場合、使用している記憶媒体に対応した記憶媒体スロットを備えた情報処理装置としてのプリンタを購入して印刷画像を得るようにしている。
【０００８】
しかしながら、独自にプリンタを購入しなくても、また、急いで印刷画像を得たい場合等の要求に答えて、そのような印刷画像を提供するシステムも提供されている。
特許文献１〜３には、記憶媒体からの画像情報を読み込んで所定の印刷媒体にプリントする街頭設置型のプリンタ装置を含む所謂写真印刷自動販売機が開示されている。
【０００９】
このような写真印刷自動販売機では、各種記憶媒体に対応できるように予め複数の記憶媒体挿脱口および各記憶媒体用のインターフェイスが備えられている。そして、このような情報処理装置としての写真印刷自動販売機では、ユーザがデジタルカメラ等で撮影した画像情報を記録した記憶媒体を装置本体の前面に設けられた対応する記憶媒体挿脱口へ挿入し、紙幣や硬貨を所定の投入口へ投入後、モニタに表示された所望の画像を確認してプリントボタンを押下することで、所定の印刷媒体へのプリントが開始されて印刷画像を得る事ができるようになっている。従って、パーソナルコンピュータやプリンタ等を所有しないデジタルカメラの新規購入者でも容易に印刷画像出力が行える便利さがある。
【００１０】
ところで、従来の種々の情報処理装置に対して、各種機構部品や電子部品或いは操作部等の細部に対する塵芥や汚れを除去するために、所謂綿棒の先端球状部に粘着剤層を設けた清掃具が提供されている。（特許文献４、５参照）これらの発明によれば、粘着剤層が微小な塵芥や汚れを粘着除去するので、従来の綿棒等による拭き取りによるさらなる繊維屑の発生も無く汚染のない清掃が行えると記載されている。
【００１１】
【特許文献１】特開２０００−３２６５６５号公報（段落［００１５］〜［００１８］、図１、段落［００３０］、図９）
【特許文献２】特開２００１−３５７４５４号公報（段落［００１５］〜［００１７］、図１）
【特許文献３】特開２００２−３５２３１９号公報（段落［００１６］〜［００１９］、図１）
【特許文献４】特開２０００−１６６８５３号公報（段落［００１１］〜［００１８］、図１〜図３）
【特許文献５】特開２００１−３４６７１０号公報（段落［００１０］〜［００１２］、図１）
【発明の開示】
【発明が解決しようとする課題】
【００１２】
上述したように、記憶媒体には複数の形態のものが存在しており、各ユーザは扱う機種に適合した記憶媒体の選択、あるいは、記憶媒体に対応した機種を選択することになっている。従って、プリンタ等を個人で所有するような場合にはさほど問題はないのだが、上記のような写真印刷自動販売機を利用する、とりわけ初心者の場合に、自己の所有する記憶媒体と写真印刷自動販売機の記憶媒体スロットとの対応を十分確認せずに、記憶媒体を不適合の記憶媒体スロットに挿入してしまう不具合があった。
【００１３】
すなわち、上述のように各記憶媒体はそのサイズ（縦、横、厚さ）に違いが有り、写真印刷自動販売機では各記憶媒体に対応して複数の記憶媒体スロットを備えるが、必然的にこれら複数の記憶媒体スロットのサイズ（スリットの縦、横、高さ）も違いが有る。そして、大きいサイズの記憶媒体スロットは小さいサイズの記憶媒体の挿入を阻止できない。そこで、記憶媒体スロットの近傍には、挿入すべき記憶媒体の製品名等の表示がなされていて、操作を誤ることを防止しようとしている。
【００１４】
しかしながら、現実には適正に装填されるべき記憶媒体のサイズよりも小さいサイズの不適合記憶媒体が誤って写真印刷自動販売機の記憶媒体スロットに誤挿入されるという問題がしばしば発生した。これは特に情報処理装置の構成に疎い初心者の場合や、図７に示したように同一製品名で挿入方向ａに対して縦のサイズがｌだけ小さいｍ２のような記憶媒体の場合に多く発生している。
【００１５】
そして、このような小さいサイズの不適合記憶媒体が装置本体の記憶媒体装填部内部に挿入されてしまうと、容易には取り出すことができなかった。このような事態が発生すると、利用者は写真印刷自動販売機設置者にその旨連絡するが、場合によってはそのような連絡も無しに立ち去る例もあった。
【００１６】
従来、このような記憶媒体の誤挿入に対して、針金等を記憶媒体スロットから挿入したり、上述の綿棒のようなものを使用したりして取り出そうと試みられたが、針金等では記憶媒体や記憶媒体装填部自体を破損させたりしてしまい、また、綿棒のようなものでは記憶媒体スロットの僅かな隙間に挿入することができず、挿入できても綿棒先端が破損したり上記隙間に詰まってしまったりして取り出すことができず、最終的には写真印刷自動販売機設置者が装置を分解しなければならなかった。
【００１７】
従って、メンテナンスが煩雑であると共に、そのメンテナンスの間、写真印刷自動販売機が利用できなくなり、多くの利用者に迷惑が掛かるという問題が有った。なお、上記誤挿入は、複数の記憶媒体スロットを備える写真印刷自動販売機だけに限らず、単数の記憶媒体スロット付きのビデオプリンタやインクジェットプリンタを個人が所有している場合にも潜在する問題であった。
【００１８】
本発明の課題は、上記従来の実情に鑑み、スリット状の挿脱口を介して適正に装填されるべき記憶媒体が誤って上記挿脱口よりも記憶媒体装填部の内側へ誤挿入された際に上記不適合記憶媒体を容易に取り出すための記憶媒体取り出し具及びそれを具備した情報処理装置を提供することである。
【課題を解決するための手段】
【００１９】
先ず、本発明における第１の発明の情報処理装置は、スリット状の挿脱口を有し該挿脱口を介して挿入される記憶媒体を受け入れる記憶媒体装填部と、該記憶媒体装填部へ適正に装填された記憶媒体に対して情報の処理を行う処理手段とを備えることを前提とする。そして、少なくとも一方の長手方向端部を先細凸形状とした短冊状薄板からなり、上記先細凸形状部分を除いた先端近傍に粘着剤層を形成した記憶媒体取り出し具を具備し、上記適正に装填されるべき記憶媒体のサイズよりも小さいサイズの不適合記憶媒体が誤って上記挿脱口よりも上記記憶媒体装填部の内側へ誤挿入された際に、上記記憶媒体取り出し具を上記記憶媒体装填部に挿入することで上記粘着剤層を介して上記不適合記憶媒体と一体化させ、該一体化状態で引き出すことにより上記不適合記憶媒体を取り出し可能に構成される。
【００２０】
上記短冊状薄板は、例えば板バネ状の所定の弾性を有するプラスティック材料から構成される。また、上記情報が画像情報であり、上記処理手段は上記画像情報に基き印刷処理を行う印刷手段を含み、上記情報処理装置は、自動販売機型のプリンタである。
【００２１】
次に、本発明における第２の発明の記憶媒体取り出し具は、スリット状の挿脱口を有し該挿脱口を介して挿入される記憶媒体を受け入れる記憶媒体装填部と、該記憶媒体装填部へ適正に装填された記憶媒体に対して情報の処理を行う処理手段とを備える情報処理装置に付属されるべく設けられることを前提とする。そして、上記適正に装填されるべき記憶媒体のサイズよりも小さいサイズの不適合記憶媒体が誤って上記挿脱口よりも上記記憶媒体装填部の内側へ誤挿入された際に上記不適合記憶媒体を取り出すために、少なくとも一方の長手方向端部を先細凸形状とした短冊状薄板からなり、上記先細凸形状部分を除いた先端近傍に粘着剤層を形成して構成される。
【００２２】
上記短冊状薄板は、例えば板バネ状の所定の弾性を有するプラスティック材料から構成される。
【発明の効果】
【００２３】
本発明によれば、記憶媒体取り出し具を、少なくとも一方の長手方向端部を先細凸形状とした短冊状薄板からなり上記先細凸形状部分を除いた先端近傍に粘着剤層を形成して構成するので、わずかな隙間の記憶媒体装填部に挿入することが可能で、しかも先細凸形状が挿入をスムースに導き、挿入後には上記粘着剤層が記憶媒体装填部内側へ誤挿入された不適合記憶媒体と容易に粘着して一体化し、この一体化状態で引き出すことにより上記不適合記憶媒体を簡単に取り出すことができる。
【００２４】
そして、上記短冊状薄板を板バネ状の所定の弾性を有するプラスティック材料から構成することにより、上記記憶媒体装填部に挿入した後、僅かに湾曲させることで曲げ弾性力により上記粘着剤層が上記不適合記憶媒体により強く粘着し、上記不適合記憶媒体の引き出しを容易にすることができる。また、記憶媒体や記憶媒体装填部自体を破損させたりする惧れがない。
【００２５】
従って、とりわけ不特定多数が利用する写真印刷自動販売機の記憶媒体スロットに不適合記憶媒体が誤挿入されたような場合に好適であり、利用者若しくは写真印刷自動販売機設置者が容易に問題解決を図ることができて、多くの利用者が快適に写真印刷自動販売機を利用できる環境を提供できる。
【発明を実施するための最良の形態】
【００２６】
以下、本発明の実施の形態を図面を参照しながら説明する。
（実施形態１）
先ず、本発明の第１の実施の形態における情報処理装置としての写真印刷自動販売機の構成を説明する。
【００２７】
図１は、本発明に係わる写真印刷自動販売機の外観構成を示す図である。同図に示す写真印刷自動販売機１は、街角や小売店、スーパー、写真店、観光地の店舗、テーマパーク、映画館、オフィスビルの建物内等に設置されている。
【００２８】
写真印刷自動販売機１の正面には、表示／操作部（ディスプレイ＆タッチパネル）２、記憶媒体挿脱口３、料金操作部４、及び写真受取口５が設けられている。表示／操作部（ディスプレイ＆タッチパネル）２は、例えば液晶ディスプレイ６と、液晶ディスプレイ６に表示されるキーや、ボタン、アイコン等を選択する不図示の操作部で構成されている。表示／操作部（ディスプレイ＆タッチパネル）２には、例えばデジタルカメラ等で撮影した画像情報が、サムネイル表示され、また有料モード又は無料モードの選択アイコン等の各種の情報が表示される。
【００２９】
また、表示／操作部（ディスプレイ＆タッチパネル）２の上記表示に従って、例えばユーザは有料モード又は無料モードの選択操作を行い、また印刷枚数の指定操作を行う。記憶媒体挿脱口３は、デジタル画像情報を記憶する上述のコンパクトフラッシュ（登録商標）カードやスマートメディア、ＳＤカード、メモリースティック、フロッピィディスク、ＰＣカード、光磁気ディスク、コンパクトディスクＲＯＭ（ＣＤ−ＲＯＭ）、コンパクトディスクレコーダブル（ＣＤ−Ｒ）等の記憶媒体の挿入口であり、上記記憶媒体には例えばデジタルカメラ等で撮影したデジタル画像情報が複数の単位画面情報として書き込まれている。また、上記記憶媒体に書き込まれたデジタル画像の情報は、スキャナ等から読み出したイメージデータをデジタル画像データに変換したデータであってもよい。
【００３０】
記憶媒体挿脱口３の直下には、作業テーブル７が手前に突出して設けられており、例えばデジタルカメラ本体の載置等に利用できる。この作業テーブル７の下部には例えば引き出し７ａが図１の矢視方向に挿脱自在に設けられ、後述する本発明の記憶媒体取り出し具等のメンテナンス部品の収納部として利用される。
【００３１】
料金操作部４は本例の装置を有料で使用する場合に使用する構成であり、料金挿入口である紙幣挿入口４ａや硬貨投入口４ｂから料金を入金する。また、４ｃは返却レバー、４ｄは料金返却口であり、釣り銭がある時当該料金返却口４ｄから釣り銭が返却される。また、料金返却口４ｄの下方にはレシート排紙口８も配設されている。
【００３２】
写真受取口５は印刷出力を取り出すボックスであり、複数枚の印字用紙が出力される。また、この写真受取口には、例えば小型の簡易アルバム等の付加部材も出力される。
【００３３】
図２は上記外観構成の写真印刷自動販売機１について、内部のシステム構成を説明する図である。本システムはメインコントローラ１１を中心に周辺回路、及びプリンタ部１２で構成されている。メインコントローラ１１は内部にＣＰＵ（中央処理装置）を有し、プログラムに従って本例の写真印刷自動販売機１の制御処理を行う。また、メインコントローラ１１には記憶部１３が接続され、この記憶部１３に記憶されたプログラムに従って処理を行う。
【００３４】
また、メインコントローラ１１にはディスプレイ制御部１４、キー入力制御部１５、カードインタフェース１６、料金管理部１７、及び上記プリンタ部１２が接続されている。ディスプレイ制御部１４は上述の表示／操作部（ディスプレイ＆タッチパネル）２に表示する表示情報の出力制御を行い、メインコントローラ１１から出力される表示情報を表示／操作部（ディスプレイ＆タッチパネル）２に表示制御する。また、キー入力制御部１５はユーザによるキー操作に従った操作信号をメインコントローラ１１に出力制御する。
【００３５】
また、カードインタフェース１６は、上述の記憶媒体挿脱口３に挿入されるコンパクトフラッシュ（登録商標）カードや、スマートメディア、ＳＤカード、メモリースティック、フロッピィディスク等からデジタル画像情報を読み出し、メインコントローラ１１へ出力制御するインタフェースである。
【００３６】
また、料金管理部１７は上述の紙幣挿入口４ａや硬貨投入口４ｂから入金された料金を計算し、指定された印刷枚数に対応する料金であることを確認する。また、メインコントローラ１１から有料モード又は無料モードの指定があり、この指定に従って処理を行う。また、釣り銭の管理等も行う。なお、プリンタ部１２は、例えば不図示の複数台のプリンタユニットで構成され、各プリンタユニットが同じ構成であり、同時に画像データを印刷処理することによって、高速印刷を行う構成である。
【００３７】
このような構成の写真印刷自動販売機１において、これを利用したいユーザは、例えばデジタルカメラ等で撮影した画像情報を記録した記憶媒体を単独で、又はデジタルカメラと共に写真印刷自動販売機１の設置場所に持ち込み、記憶媒体を記憶媒体挿脱口３を介して挿入し、紙幣や硬貨を紙幣挿入口４ａか硬貨投入口４ｂへ投入後、液晶ディスプレイ６に表示される画像を確認すると共に、液晶ディスプレイ６に同時に表示されるキーや、ボタンを操作して所望する印刷画像を写真受取口５から得るわけであるが、上述のように、時として適正に装填されるべき記憶媒体のサイズよりも小さいサイズの不適合記憶媒体を誤って挿入してしまうことがあり、その場合には、その誤挿入してしまった記憶媒体を取り出す必要がある。
【００３８】
そこで、本発明ではそのような事態の発生に備えて、以下に説明する記憶媒体取り出し具を写真印刷自動販売機１に具備するものである。本発明の写真印刷自動販売機１では、例えば、図１に示した引き出し７ａに予め記憶媒体取り出し具を収納具備している。ただし、具備する形態としては、記憶媒体取り出し具を収納した収納袋を写真印刷自動販売機１の側部に吊り下げるようにしても良い。また、写真印刷自動販売機設置者が別途保管管理するようにしても良い。
【００３９】
以下、本発明の第１の実施の形態において用いられる記憶媒体取り出し具の構成を説明する。図３は、本発明の記憶媒体取り出し具を示す図であり、図３（ａ）は平面図、図３（ｂ）は図３（ａ）のＡ−Ａ線横断面図である。
【００４０】
記憶媒体取り出し具２１は、所定の弾性を有するプラスティック材料、例えば厚さ０.１ｍｍ程度のポリエステルフィルムのマイラーシートからなり、図３（ａ）に示すように、長手方向端部の一方を先細凸形状部２１ａにカットして短冊状に形成したものである。そして、図３（ｂ）に示すように、先細凸形状部２１ａを除いた先端近傍に粘着剤層２２が形成され、剥離紙２３が貼着してある。粘着剤層２２の粘着剤としては、周知の天然ゴム系、合成ゴム系、アクリル樹脂系、ウレタン樹脂系、シリコーン樹脂系のいずれのものも使用可能である。
【００４１】
次に、このような本発明の記憶媒体取り出し具の使用方法を説明する。
図４は、本発明の記憶媒体取り出し具を用いて、誤って挿入された記憶媒体を取り出す方法を説明する図である。まず、図４（ａ）に示すように、記憶媒体取り出し具２１の剥離紙２３を剥がした後、粘着剤層２２の面を下に向けて誤挿入された記憶媒体Ｍが存在する記憶媒体装填部３ａの隙間に矢視の如く挿入する。
【００４２】
すなわち、記憶媒体取り出し具２１を記録媒体挿脱口３を介して記憶媒体Ｍの上に滑り込ませるようにそっと差し込む。この時、記憶媒体取り出し具２１は適度な剛性を有しており、また先細凸形状部２１ａには粘着剤層が形成されていないので、記憶媒体取り出し具２１はスムースに挿入可能である。
【００４３】
次に、図４（ｂ）に示すように、記憶媒体取り出し具２１を矢視方向の下方にそっと動かすと、粘着剤層２２が記憶媒体Ｍに貼り付き記憶媒体取り出し具２１と記憶媒体Ｍとが一体化するので、続いて図４（ｃ）に示すように、ゆっくりと記憶媒体取り出し具２１を矢視方向へ引き出し、最後に、取り出された記憶媒体取り出し具２１と記憶媒体Ｍとの粘着を剥がすようにする。
【００４４】
なお、本発明の記憶媒体取り出し具の使用方法としては、図４（ｄ）に示すように、粘着剤層２２の面を上に向けて誤挿入された記憶媒体Ｍの下の隙間に記憶媒体取り出し具２１を差し込むようにし、図４（ｅ）に示すように記憶媒体取り出し具２１を上方に動かした後、図４（ｆ）に示すように引き出すように適宜変更しても良い。
【００４５】
（実施形態２）
上記説明では、長手方向端部の一方を先細凸形状部２１ａにカットして短冊状に形成し、その先細凸形状部２１ａを除いた先端近傍に粘着剤層２２を形成した例で示したが、長手方向両端部に同様の機能を持たせることもできる。
【００４６】
図５は、本発明の記憶媒体取り出し具の変形例としての別実施形態を示すもので、図５（ａ）は平面図、図５（ｂ）は図５（ａ）のＢ−Ｂ線横断面図である。なお、図５において、図４との違いは右側に示される長手方向一端部のみであるので、図４との同一部分は同一番号を付与し、説明を省略する。
【００４７】
同図に示すように、本実施形態の記憶媒体取り出し具２１´では、長手方向両端部に先細凸形状部２１ａ、２１ａ´を形成すると共に、先細凸形状部２１ａ、２１ａ´を除いた両先端近傍に粘着剤層２２、２２´と剥離紙２３、２３´を形成してある。このように、本実施形態の記憶媒体取り出し具２１´では、長手方向両端部に先細凸形状部と粘着剤層を対称的に形成してあるので、端部を持ち替えることで取り出し作業を２回分行うことができ、コストメリットを向上させることができる。
【００４８】
なお、以上の説明において、記憶媒体取り出し具の使用は、写真印刷自動販売機の利用者が誤挿入発生時に写真印刷自動販売機設置者に報告し、その報告に基いて写真印刷自動販売機設置者が行うことを基本とするが、上述したように本発明の記憶媒体取り出し具は、その取り扱いが容易なので、写真印刷自動販売機の利用者自身が行うようにしても差し支えない。
【００４９】
また、本発明の記憶媒体取り出し具は、上述のような自動販売機型のプリンタに用いて好適であるが、本発明は、デジタルカメラ自体やビデオプリンタ、インクジェットプリンタ或いはパーソナルコンピュータやカードリーダ等、記憶媒体スロット付きの情報処理装置に広く適用可能である。
【図面の簡単な説明】
【００５０】
【図１】本発明に係わる写真印刷自動販売機の外観構成を示す図である。
【図２】図１の写真印刷自動販売機の内部のシステム構成を説明する図である。
【図３】本発明の記憶媒体取り出し具を示す図であり、（ａ）は平面図、（ｂ）は（ａ）のＡ−Ａ線横断面図である。
【図４】（ａ）〜（ｆ）は、本発明の記憶媒体取り出し具を用いて、誤って挿入された記憶媒体を取り出す方法を説明する図である。
【図５】本発明の記憶媒体取り出し具の変形例を示す図であり、（ａ）は平面図、（ｂ）は（ａ）のＢ−Ｂ線横断面図である。
【図６】（ａ）〜（ｇ）は、現在汎用されている種々の形態の記憶媒体製品を示す図である。
【図７】同一記憶媒体製品でサイズが異なる例を示す図である。
【符号の説明】
【００５１】
１  写真印刷自動販売機
２  表示／操作部（ディスプレイ＆タッチパネル）
３  記録媒体挿脱口
３ａ  記憶媒体装填部
４  料金操作部
４ａ  紙幣挿入口
４ｂ  硬貨投入口
４ｃ  返却レバー
４ｄ  料金返却口
５  写真受取口
６  液晶ディスプレイ
７  作業テーブル
７ａ  引き出し
８  レシート排紙口
１１  メインコントローラ
１２  プリンタ部
１３  記憶部
１４  ディスプレイ制御部
１５  キー入力制御部
１６  カードインタフェース
１７  料金管理部
２１、２１´  記憶媒体取り出し具
２１ａ、２１ａ´  先細凸形状部
２２、２２´  粘着剤層
２３、２３´  剥離紙
Ｍ  誤挿入された記憶媒体
【図１】
2005071010.tif 000003
【図２】
2005071010.tif 000004
【図３】
2005071010.tif 000005
【図４】
2005071010.tif 000006
【図５】
2005071010.tif 000007
【図６】
2005071010.tif 000008
【図７】
2005071010.tif 000009